(57)【要約】    【課題】釣人の聴覚に訴えることによって、エキサイティングな釣りを実現する釣竿の提供。    【解決手段】この釣竿４０は、釣竿本体１１と、グリップ１２とを有し、グリップ１２は、電磁誘導装置１８を内蔵する。グリップ１２は栓部材４１を有し、栓部材４１は、アンプ４２と、スピーカ４３とを内蔵する。電磁誘導装置１８は、コイル２０と、コイル２０の近傍に配置された磁石２１とを備え、磁石２１は、グリップ１２の振動に伴って振動する。コイル２０の端部２５、２６は、アンプ４２に接続されており、コイル２０に生じた誘導電流によってスピーカから音声等が発せられる。【選択図】図６
2005073665.tif 000002
【特許請求の範囲】
【請求項１】
釣竿本体と、釣竿本体を支持するグリップと、グリップに設けられた電磁誘導装置とを有し、
当該電磁誘導装置は、コイルと、コイルの近傍に配置された細長棒状の磁石と、コイルが接続された外部出力端子とを備えており、
上記コイルは上記グリップに固定され、上記磁石は上記グリップの振動に伴って振動するように当該グリップに支持されている釣竿。
【請求項２】
釣竿本体と、釣竿本体を支持するグリップと、グリップに設けられた電磁誘導装置とを有し、
当該電磁誘導装置は、コイルと、磁力線がコイルの内部を貫くように配置された磁石と、コイルの近傍に配置された強磁性体からなる振動部材と、コイルが接続された外部出力端子とを備えており、
上記磁石及びコイルは上記グリップに固定され、上記振動部材は上記グリップの振動に伴って振動するように当該グリップに支持されている釣竿。
【請求項３】
釣竿本体と、釣竿本体を支持するグリップと、グリップに設けられた電磁誘導装置と、電磁誘導装置によって得られた誘導電流を増幅する増幅器と、増幅器に接続されたスピーカとを有し、
当該電磁誘導装置は、コイルと、コイルの近傍に配置された細長棒状の磁石とを備えており、
上記コイルは上記グリップに固定され、上記磁石は上記グリップの振動に伴って振動するように当該グリップに支持されている釣竿。
【請求項４】
釣竿本体と、釣竿本体を支持するグリップと、グリップに設けられた電磁誘導装置と、電磁誘導装置によって得られた誘導電流を増幅する増幅器と、増幅器に接続されたスピーカとを有し、
当該電磁誘導装置は、コイルと、磁力線がコイルの内部を貫くように配置された磁石と、コイルの近傍に配置された強磁性体からなる振動部材とを備えており、
上記磁石及びコイルは上記グリップに固定され、上記振動部材は上記グリップの振動に伴って振動するように当該グリップに支持されている釣竿。
【発明の詳細な説明】
【技術分野】
【０００１】
本発明は、釣竿の構造に関するものである。
【背景技術】
【０００２】
例えばルアー釣りは、釣人が釣竿を使ってルアーをキャストし、そのルアーがあたかもベイトフィッシュであるがごとくリトリーブすることによってターゲットフィッシュのバイトを誘うエキサイティングなゲームであって、その興奮と感動は、当該釣人のみが格別に味わうことのできるものである。このため、従来から釣竿は、例えばルアーのより正確なキャストが実現されること等を目的としてその機能向上が図られているところであるが（例えば、特許文献１〜特許文献５参照）、かかる純粋な機能の向上のみならず、釣りにおける興奮と感動をさらに高めることを目的として、そのデザインや構造に種々の改良が加えられていることもまた事実である。
【０００３】
【特許文献１】特開２００２−３３０６７８号
【特許文献２】特開２００２−３４５３６６号
【特許文献３】特開２００２−３６０１３２号
【特許文献４】特開２００３−７０３８８号
【特許文献５】特開２００３−７９２８４号
【発明の開示】
【発明が解決しようとする課題】
【０００４】
かかる背景のもと、釣りにおいてターゲットフィッシュがバイトした際に、当該釣人がよりエキサイティングすることのできる釣竿の提供が要請されている。
【０００５】
そこで、本発明の目的は、釣人の聴覚に訴えることによってさらに感動的な釣りを実現する釣竿を提供することである。
【課題を解決するための手段】
【０００６】
(1) 上記目的が達成されるため、本発明に係る釣竿は、釣竿本体と、釣竿本体を支持するグリップと、グリップに設けられた電磁誘導装置とを有し、当該電磁誘導装置は、コイルと、コイルの近傍に配置された細長棒状の磁石と、コイルが接続された外部出力端子とを備えており、上記コイルは上記グリップに固定され、上記磁石は上記グリップの振動に伴って振動するように当該グリップに支持されていることを特徴とするものである。
【０００７】
この構成によれば、実釣時において釣人が釣竿を操作した場合（例えばルアーをキャストし又はリトリーブした場合やターゲットフィッシュがバイトした場合）には、磁石が振動し、これにより、誘導電流が発生する。この誘導電流は、外部出力端子から外部へ取り出され得る。
【０００８】
(2) また、上記目的が達成されるため、本発明に係る釣竿は、釣竿本体と、釣竿本体を支持するグリップと、グリップに設けられた電磁誘導装置とを有し、当該電磁誘導装置は、コイルと、磁力線がコイルの内部を貫くように配置された磁石と、コイルの近傍に配置された強磁性体からなる振動部材と、コイルが接続された外部出力端子とを備えており、上記磁石及びコイルは上記グリップに固定され、上記振動部材は上記グリップの振動に伴って振動するように当該グリップに支持されていることを特徴とするものである。
【０００９】
この構成によれば、実釣時において釣人が釣竿を操作した場合（例えばルアーをキャストし又はリトリーブした場合やターゲットフィッシュがバイトした場合）には、振動部材が振動し、これにより、誘導電流が発生する。この誘導電流は、外部出力端子から外部へ取り出され得る。
【００１０】
(3) さらに、上記目的が達成されるため、本願に係る釣竿は、釣竿本体と、釣竿本体を支持するグリップと、グリップに設けられた電磁誘導装置と、電磁誘導装置によって得られた誘導電流を増幅する増幅器と、増幅器に接続されたスピーカとを有し、当該電磁誘導装置は、コイルと、コイルの近傍に配置された細長棒状の磁石とを備えており、上記コイルは上記グリップに固定され、上記磁石は上記グリップの振動に伴って振動するように当該グリップに支持されていることを特徴とするものである。
【００１１】
この構成によれば、実釣時において釣人が釣竿を操作した場合（例えばルアーをキャストし又はリトリーブした場合やターゲットフィッシュがバイトした場合）には、磁石が振動し、これにより、誘導電流が発生する。この誘導電流は、増幅器により増幅され、スピーカから音声等として出力される。
【００１２】
(4) また、上記目的が達成されるため、本発明に係る釣竿は、釣竿本体と、釣竿本体を支持するグリップと、グリップに設けられた電磁誘導装置と、電磁誘導装置によって得られた誘導電流を増幅する増幅器と、増幅器に接続されたスピーカとを有し、当該電磁誘導装置は、コイルと、磁力線がコイルの内部を貫くように配置された磁石と、コイルの近傍に配置された強磁性体からなる振動部材とを備えており、上記磁石及びコイルは上記グリップに固定され、上記振動部材は上記グリップの振動に伴って振動するように当該グリップに支持されていることを特徴とするものである。
【００１３】
この構成によれば、実釣時において釣人が釣竿を操作した場合（例えばルアーをキャストし又はリトリーブした場合やターゲットフィッシュがバイトした場合）には、振動部材が振動し、これにより、誘導電流が発生する。この誘導電流は、増幅器により増幅され、スピーカから音声等として出力される。
【発明の効果】
【００１４】
以上のように本発明によれば、釣竿の振動に起因した誘導電流によって、実釣時において音声等が発生され得る。この音声等は釣人の聴覚に訴えるものであるから、例えば、釣人がルアーをキャストし又はリトリーブした場合やターゲットフィッシュがバイトした場合には、よりエキサイティングな釣りが実現される。
【発明を実施するための最良の形態】
【００１５】
以下、適宜図面が参照されつつ、好ましい実施形態に基づいて本発明が詳細に説明される。
【００１６】
＜第１の実施形態＞
図１は、本発明の第１の実施形態に係る釣竿の正面図であり、図２は、要部拡大断面図である。
この釣竿１０は、いわゆるルアーロッドであり、釣竿本体１１と、グリップ１２とを備えている。本実施形態に係る釣竿１０の特徴とするところは、このグリップ１２に電磁誘導装置が設けられており、実釣時において音声等が発せられることによってよりエキサイティングな釣りが実現されるようになっている点である。
【００１７】
釣竿本体１１は、いわゆるワンピースの筒状部材からなる。釣竿本体１１は、既知の製法により製造されており、所定形状に裁断された繊維強化樹脂（カーボンプリプレグ等）がマンドレルに巻回されることによって成形されている。釣竿本体１１には複数の釣糸ガイド１３が設けられており、これらによって釣糸が案内されるようになっている。なお、本実施形態では、釣竿本体１１は単一の部材から構成されているが、これに限定されるものではなく、複数の筒状部材が軸方向に継がれて釣竿本体を構成するものであっても良いことは勿論である。また、本実施形態では、釣竿１０はルアーロッドとして構成されているが、これに限定されるものではなく、他の種々の目的に応じて設計された釣竿であってもよい。
【００１８】
グリップ１２は、釣人が釣竿１０を操作する際に把持する部分である。グリップ１２は、円筒状に形成されており、その外形寸法は、釣人が把持しやすいように所定寸法に設定され、また、その材質は、釣人が把持した場合に滑りにくいように所定の樹脂等が採用されている。グリップ１２は、前グリップ部１５と後グリップ部１６とに二分割されており、両者間にリールシート１７が設けられている。ただし、本実施形態では、リールシート１７は、グリップ１２と一体的に形成されている。そして、釣竿本体１１は、その根本部１４が前グリップ部１５に挿通され支持されている。なお、後グリップ部１６の後端には、栓部材１９が着脱可能に取り付けられている。
【００１９】
図２は、釣竿１０の一部断面要部拡大正面図であり、後グリップ部１６の構造が詳細に示されている。
同図が示すように、後グリップ部１６に電磁誘導装置１８が内蔵されている。この電磁誘導装置１８は、コイル２０と、磁石２１と、外部出力端子２２とを備えている。この電磁誘導装置１８は、磁石２１の振動によってコイル２１に誘導電流を生じさせるものである。
【００２０】
図３は、後グリップ部１６の要部拡大斜視図であり、電磁誘導装置１８の要部が図示されている。
図２及び図３が示すように、コイル２０は、保持器２３に巻回されている。この保持器２３は、例えば樹脂により構成されており、ボビン状に形成されている。コイル２０は、例えば細径のニクロム線等により構成され、保持器２３に多数回巻き付けられている。また、保持器２３は、後グリップ部１６の内部に嵌め込まれており、例えば接着剤等の既知の固着手段を介して当該後グリップ部１６に固定されている。
【００２１】
磁石２１は、図２が示すように細長棒状、具体的には細長薄肉の板状に形成されている。この磁石２１の基端部は、後グリップ部１６の先端部（リールシート１７が設けられている側の端部）に固定されている。具体的には、後グリップ部１６の先端部には、樹脂等からなる支持ブロック２４が配設されており、この支持ブロック２４によって、磁石２１の基端部が支持されている。すなわち、磁石２１は、後グリップ部１６内においていわゆる片持ち状に支持されており、磁石２１の先端部（本実施形態ではＮ極側）は、上記コイル２０の近傍に配置されている。したがって、磁石２１は、グリップ１２が振動することに伴って振動するようになっており、磁石２１が振動することによって、その先端部（Ｎ極側）は、コイル２０に対して相対的に振動する。
【００２２】
外部出力端子２２は、上記栓部材１９の中央部に設けられている。この外部出力端子２２は、所定の規格に基づいて構成されており、所定のアンプ等が接続可能となっている。栓部材１９は、樹脂等により構成されており、円柱状に形成されている。本実施形態では、外部出力端子２２は、栓部材１９の内部に設けられており、上記コイル２０の両端部２５、２６は、栓部材１９を介して外部出力端子２２と電気的に接続されている。
【００２３】
本実施形態に係る釣竿１０では、釣人によって釣竿１０が操作された場合に、上記磁石２１がグリップ１２内で振動する。つまり、実釣時において釣人が釣竿１０を操作してルアーをキャストし又はリトリーブした場合やターゲットフィッシュがバイトした場合には、磁石２１が激しく振動し、これにより、コイル２０に誘導電流が発生する。この誘導電流は、尻栓１９の外部出力端子２２から外部へ取り出され得る。したがって、この外部出力端子２２に予め容易されたアンプ及びスピーカ等が接続されることによって、実釣時において音声等が発生され得る。この音声等は当該釣人の聴覚に訴えるものであるから、釣人は、よりエキサイティングな釣りを楽しむことが可能となる。
【００２４】
次に、本実施形態の設計変更例について説明される。
図４は、本実施形態の設計変更例に係る釣竿３０の一部断面要部拡大正面図である。
本設計変更例に係る釣竿３０が上記実施形態に係る釣竿１０と異なるところは、グリップ１２に設けられた電磁誘導装置３１の構造である。すなわち、上記釣竿１０では、図２が示すように、コイル２０の近傍に磁石２１が配置され、この磁石２１が振動するように構成されているのに対し、本設計変更例に係る釣竿３０では、コイル２０が予め一対の磁石３２、３３の間に配置され、このように配置されたコイル２０の近傍に平板鋼３４（振動部材）が配置されている点である。なお、その他の構成については、上記実施形態と同様である。
【００２５】
図５は、本設計変更例に係る電磁誘導装置３１の要部を示す斜視図である。
同図が示すように、コイル２０は、上記実施形態と同様に保持器２３に予め巻回されており、この保持器２３を取り囲むように磁石３２、３３が配置されている。これら磁石３２、３３は、それぞれ略コ字状に形成されており、Ｎ極同士及びＳ極同士が対向配置されている。したがって、各磁石３２、３３の磁力線は、コイル２０の内部を貫いている。なお、本設計変更例においても、これら磁石３２、３３及びコイル２０は、後グリップ部１６の内部に固定されている。
【００２６】
また、上記平板鋼３４は、上記実施形態に係る磁石２１（図２参照）と同様に細長薄肉の板状部材であって、後グリップ部１６に設けられた支持ブロック２４に支持されている。平板鋼３４は、いわゆる片持ち状に支持されており、グリップ１２の振動に伴って振動するようになっている。
【００２７】
本設計変更例に係る釣竿３０においても、釣人によって釣竿３０が操作された場合に、上記平板鋼３４がグリップ１２内で振動する。つまり、実釣時において釣人が釣竿３０を操作してルアーをキャストし又はリトリーブした場合やターゲットフィッシュがバイトした場合には、平板鋼３４が激しく振動し、これにより、コイル２０を貫く磁力線が変化し、誘導電流が発生する。この誘導電流は、栓部材１９の外部出力端子２２から外部へ取り出され得る。したがって、この外部出力端子２２に予め容易されたアンプ及びスピーカ等が接続されることによって、実釣時において音声等が発生され得る。この音声等は当該釣人の聴覚に訴えるものであるから、釣人は、よりエキサイティングな釣りを楽しむことが可能となる。
【００２８】
＜第２の実施形態＞
次に、本発明の第２の実施形態について説明される。
図６は、本発明の第２の実施形態に係る釣竿４０の一部断面要部拡大正面図である。
本実施形態に係る釣竿４０が上記第１の実施形態に係る釣竿１０と異なるところは、グリップ１２に設けられた栓部材４１にアンプ４２（増幅器）及びスピーカ４３が備えられている点である。なお、この栓部材４１には、上記外部出力端子２２（図２参照）は設けられていないが、その他の構成については、第１の実施形態に係る釣竿１０と同様である。
【００２９】
本実施形態に係る栓部材４１は、上記第１の実施形態に係る栓部材１９と同様に樹脂等により構成されており、細長の円柱状に形成されている。本実施形態では、この栓部材４１の内部に上記アンプ４２及びスピーカ４３が配置されている。そして、コイル２０の端部２５、２６は、アンプ４２に接続されており、スピーカ４３は、このアンプ４２に接続されている。なお、本実施形態では、アンプ４２の電源４４も栓部材４１に内蔵されている。
【００３０】
本実施形態に係る釣竿４０では、上記第１の実施形態と同様に、釣人によって釣竿４０が操作された場合に、磁石２１がグリップ１２内で振動する。つまり、実釣時において釣人が釣竿４０を操作してルアーをキャストし又はリトリーブした場合やターゲットフィッシュがバイトした場合には、磁石２１が激しく振動し、これにより、コイル２０に誘導電流が発生する。この誘導電流は、上記アンプ４２によって増幅され、音あるいは音声等としてスピーカから発せられる。この音声等は当該釣人の聴覚に訴えるものであるから、釣人は、よりエキサイティングな釣りを楽しむことが可能となる。
【００３１】
なお、本実施形態に係る電磁誘導装置１８は、上記第１の実施形態に係る電磁誘導装置と同様の構成であるが、これに代えて上記第１の実施形態の設計変更例に係る電磁誘導装置３１（図４及び図５参照）が採用されてもよいことは勿論である。
【００３２】
また、図７は、上記各実施形態の変形例に係る電磁誘導装置５０の斜視図である。
本実施形態に係る電磁誘導装置５０が上記各実施形態に係る電磁誘導装置１８、３１と異なるところは、上記各電磁誘導装置１８、３１では、コイル２０が後グリップ部１６の径方向に沿って巻回されているのに対し、本変形例に係る電磁誘導装置５０では、コイル２０が後グリップ部１６の軸方向（長手方向）に沿って巻回されている点、及びコイル２０の内部に予め棒状の磁石５１が配置されている点である。
【００３３】
本実施形態では、保持器５２は、矩形のフランジ５３を備えている。これにより、保持器５２が後グリップ部１６内に安定して設置される。保持器５２は、一対のフランジ５３間に架け渡された円筒部５４を備えており、この円筒部５４の軸方向に沿って上記磁石５１が挿入配置されている。なお、コイル２０は、上記各実施形態と同様にニクロム線等により構成され、その両端部２５、２６は、フランジ５３に設けられた小孔５５を挿通して後グリップ部１６の後方へ延びている。また、本変形例では、上記各実施形態と同様に平板鋼３４が配置されており、当該平板鋼３４は、グリップ１２の振動に伴って振動するようになっている。
【００３４】
本変形例においても、実釣時において平板鋼３４が激しく振動するから、これにより、コイル２０を貫く磁力線が変化し、誘導電流が発生する。特に、本変形例では、コイル２０が後グリップ部１６の軸方向に沿って巻回されているので、コイル２０の巻数が大きく設定される。したがって、より大きい誘導電流が発生するという利点がある。そして、この誘導電流は、上記各実施形態と同様に、所定の手段によって外部に取り出され、音声等に変換され得る。その結果、実釣時において釣人は、よりエキサイティングな釣りを楽しむことが可能となる。
【００３５】
なお、本発明において、電磁誘導装置は、上記各電磁誘導装置１８、３２、５０に限定されるものではないことは勿論である。要するに、本発明に適用され得る電磁誘導装置は、コイル２０の周囲に生じた磁界がグリップ１２の振動によって乱されるように構成されていればよい。
【産業上の利用可能性】
【００３６】
本発明は、ルアーロッドその他種々の釣竿一般に適用され得る。
【図面の簡単な説明】
【００３７】
【図１】図１は、本発明の第１の実施形態に係る釣竿の正面図である。
【図２】図２は、本発明の第１の実施形態に係る釣竿の要部拡大断面図である。
【図３】図３は、本発明の第１の実施形態に係る釣竿の後グリップ部の要部拡大斜視図である。
【図４】図４は、本発明の第１の実施形態の設計変更例に係る釣竿の一部断面要部拡大正面図である。
【図５】図５は、本発明の第１の実施形態の設計変更例に係る電磁誘導装置の要部を示す斜視図である。
【図６】図６は、本発明の第２の実施形態に係る釣竿の一部断面要部拡大正面図である。
【図７】図７は、本発明の各実施形態の変形例に係る電磁誘導装置の斜視図である。
【符号の説明】
【００３８】
１０・・・釣竿
１１・・・釣竿本体
１２・・・グリップ
１５・・・前グリップ部
１６・・・後グリップ部
１８・・・電磁誘導装置
１９・・・栓部材
２０・・・コイル
２１・・・磁石
２２・・・外部出力端子
２３・・・保持器
２５・・・コイルの端部
２６・・・コイルの端部
３０・・・釣竿
３１・・・電磁誘導装置
３２・・・磁石
３３・・・磁石
３４・・・平板鋼
４０・・・釣竿
４１・・・栓部材
４２・・・アンプ
４３・・・スピーカ
４４・・・電源
５０・・・電磁誘導装置
５１・・・磁石
５２・・・保持器
【図１】
2005073665.tif 000003
【図２】
2005073665.tif 000004
【図３】
2005073665.tif 000005
【図４】
2005073665.tif 000006
【図５】
2005073665.tif 000007
【図６】
2005073665.tif 000008
【図７】
2005073665.tif 000009